(57)【要約】【課題】  従来の使い捨てカイロの収納ポケットが着脱可能な衣服では、使い捨てカイロの重さにより取付け部分のみが早く痛み、収納ポケットが衣服より落ちやすくなるという問題があった。また、腹部を暖めたい場合には、事前に腹部付近に面ファスナーを取付けたり、収納ポケットを持ち歩かなければならないという問題もあった。更にまた、収納ポケットの開口部から使い捨てカイロが落下しやすいという問題もあった。【解決手段】  ウエスト部分を有するボトムとポケットを具備し、ポケットは前記ボトムの裏側に設けられ且つウエスト部分に端部を固定され、ポケットには使い捨てカイロを収納することで解決するものである。またポケットを腹部と腰部の２箇所に設け、ポケットの開口部には使い捨てカイロ落下を防止する為の留め具を設けたボトムを提供するものである。【選択図】  図１
0003114396.tif 000002
【実用新案登録請求の範囲】
【請求項１】
ウエスト部分を有するボトムとポケットとを具備し、
前記ポケットは前記ボトムの裏側に設けられ且つ前記ウエスト部分に端部を固定され、
前記ポケットには使い捨てカイロを収納することを特徴とするポケット付きボトム。
【請求項２】
前記ポケットは、上端に開口部を有する袋状に形成され、前記ウエスト部分の腹部と腰部の２箇所に設けられたことを特徴とする請求項１に記載のポケット付きボトム。
【請求項３】
前記ポケットの開口部には留め具を設けて前記使い捨てカイロの落下を防止することを特徴とする請求項２に記載のポケット付きボトム。
【請求項４】
前記ポケットには財布、ハンカチ、あるいはティッシュも収納することを特徴とする請求項２に記載のポケット付きボトム。
【考案の詳細な説明】
【技術分野】
【０００１】
この考案は、使い捨てカイロを収納するポケットをボトムのウエスト部分に設け、腹部と腰部を同時に暖めることができるポケット付きボトムに関するものである。
【背景技術】
【０００２】
従来は、腰まわりを暖めたい場合には使い捨てカイロを直接患部に貼り付けたり、ズボンのウエスト部に挟み込んだり、既存で付けられている衣服のポケットのうち腰まわりに近いところに収納して使用していた。また、使い捨てカイロを収納するポケットに伸縮可能な素材やファスナーを付加して衣服に装着させることで使い捨てカイロを固定させるものであった。
【０００３】
例えば、特開２００３−０５２４３７号では、衣服（この場合は、ズボンやズボン下）に面ファスナーのメスを縫い付け、カイロポケットに面ファスナーのオスを付けることによって衣服とカイロポケットを一体化させている。これにより、安定した状態での保温
ができる。また、カイロポケットの着脱が可能な為、必要に応じて付け外しすることで温度調節ができる。更にまた、温度調節用の温度調節用のマットを用いて、低温火傷を防止できる技術が記載されている。
【０００４】
また例えば、特開２００４−６０１２１号では、衣服（この場合は、ズボンやスカート等）のウエストベルトの裏側にＺナップテープ、ラインスナップ、ドット釦等の雌側やボタンを取付け、カイロ収納部にＺナップテープ、ラインスナップ、ドット釦等の雄側やボタンホールを取付けることによって、衣服のウエストベルトにカイロ収納部を取付けている。また、暖めたい個所のウエストベルトにカイロ収納部を付け、使い捨てカイロを収納することで、自由に暖める個所を変化させることができる。更にまた、衣服とカイロ収納部は着脱自在となっている為、洗濯時や使い捨てカイロが不要な場合には、取り外すことができる。更にまた、カイロ収納部のサイズを変えることにより、中に入れる使い捨てカイロのサイズも自在に変更できる技術が記載されている。
【特許文献１】特開２００３−０５２４３７号公報
【特許文献２】特開２００４−６０１２１号公報
【考案の開示】
【考案が解決しようとする課題】
【０００５】
しかしながら、上記の如く従来の使い捨てカイロの収納ポケットが着脱可能な衣服では、使い捨てカイロを入れた状態で長時間使用していると、使い捨てカイロの重さにより収納ポケットと衣服の取付け部分の生地が早く傷んだり、収納ポケットが衣服から落ちてしまったりという問題があった。
【０００６】
また、腰まわりを暖める目的の衣服である為、お腹まわりを暖めたい場合には予め収納ポケット用の面ファスナー等を腹部付近に取付けておくことや、収納ポケットを持ち歩かなければならないという問題もあった。
【０００７】
更にまた、収納ポケットの開口部からの落下防止手段が無い為、ズボンやスカート等の着脱時に使い捨てカイロが収納ポケットから落ちてしまうという問題もあった。
【０００８】
更にまた、収納ポケットが着脱可能である為、取り外した時に面ファスナーやＺスナップ等の取付け部分が目立ちはき履き心地を悪くするという問題もあった。
【０００９】
そして、使い捨てカイロによる低温火傷を防止することができ、また防寒目的であってもお洒落を楽しめる衣服の提供が望まれていた。
【課題を解決するための手段】
【００１０】
本考案は、上述した問題点に鑑みて成されたものであり、ウエスト部分を有するボトムとポケットとを具備し、前記ポケットは前記ボトムの裏側に設けられ且つ前記ウエスト部分に端部を固定され、前記ポケットには使い捨てカイロを収納することで解決するものである。
【００１１】
また、前記ポケットは、上端に開口部を有する袋状に形成され、前記ウエスト部分の腹部と腰部の２箇所に設けられたことを特徴とするものである。
【００１２】
また、前記ポケットの開口部には留め具を設けて前記使い捨てカイロの落下を防止することを特徴とするものである。
【考案の効果】
【００１３】
上述したように、本考案のポケット付きボトムは、ウエスト部分を有するボトムとポケットとを備え、前記ボトムの裏側で且つ前記ウエスト部分に前記ポケットの端部を固定させることにより、より体に近い状態で使い捨てカイロを安定させることができる。これにより、使い捨てカイロの重みでポケットとボトムを固定した個所の生地が部分的に痛むことを防止することができ、ボトムも長持ちさせることができる。
【００１４】
また、前記ポケットは、上端に開口部を有する袋状に形成し、前記ウエスト部分の腹部と腰部の２箇所に設けることにより、これらのポケットに使い捨てカイロを入れることができる。これにより、ボトムに面ファスナー等を追加することなく、そして腹部用のポケットを持ち歩くことなく、腹部と背部の両方を同時に暖めることができる。
【００１５】
更にまた、前記ポケットは、開口部に留め具を設けることにより、使い捨てカイロの落下を防止することができる。これにより、使い捨てカイロがポケットから落下することを防止でき、安心してボトムの着脱をすることができる。
【００１６】
更にまた、前記ポケットには、財布、ハンカチ、あるいはティッシュも収納することができる。これにより、ボトムのポケットを有効に利用することができる。
【００１７】
更にまた、ポケットはボトムと同じ生地で作られることにより、使い捨てカイロが肌に密着することがなく、そして長時間使用しても低温火傷を防止することができる。
【００１８】
更にまた、ポケットの生地をボトムと同じ色柄の生地および異なる色柄の生地にすることにより、お洒落に防寒できる衣服を提供する。これにより同じ色柄の生地を使用した場合には、ポケットを衣服と同化させ目立たなくすることができ、異なる色柄の生地を使用した場合には、ポケットを衣服のアクセントにすることができる。
【考案を実施するための最良の形態】
【００１９】
以下に、本考案におけるポケット付きボトムをパンツ（ズボン）に適用した場合を例にして説明する。
【００２０】
尚、ウエスト部分が伸縮可能なパンツを図示するが、ウエスト部分が伸縮しないパンツやウエスト部分のサイズ調整機能付きのパンツであっても良い。また、ボトムとは「パンツやスカートなど、下半身に着用する衣服の総称」であり、本考案はスカートや半ズボンにも適用できる。
【００２１】
（実施例１）
本考案における実施の形態１について図１〜図３を参照に詳細に説明する。
【００２２】
図１は、本考案の一実施の形態であるポケット付きパンツを上方からみた図である。
【００２３】
図１に示すごとく、本考案のパンツ１は、腹部ポケット２と腰部ポケット３と留め具４とから構成される。
【００２４】
パンツ１は、ウエスト部分１ａを有する下半身に着用する衣服の一つである。本考案では、裾の長いタイプのパンツを図示しているが、丈の長さは半ズボンのように短くても良い。
【００２５】
腹部ポケット２は、使い捨てカイロを収納できるポケットであり、パンツ１と同素材の生地で作られている。また、パンツ１の裏側で且つウエスト部分１ａの腹部周辺に端部を固定して設けられている。尚、使い捨てカイロ収納ポケットの使用例は後で説明する。
【００２６】
腰部ポケット３は、ウエスト部分１ａの腰部周辺に設けられている。尚、詳細については腹部ポケット２と同様の為、省略する。
【００２７】
留め具４は、腹部ポケット２及び腰部ポケット３の開口部に設けられている。例えば、ファスナーやスナップボタンやボタンなどである。
【００２８】
図２は、本考案の一実施の形態であるポケット付きパンツを裏側にして（Ａ）腹部ポケット周辺を正面からみた図であり、（Ｂ）ポケットを上方からみた図である。
【００２９】
図２（Ａ）に示すごとく、腹部ポケット２の端部は、パンツ１のウエスト部分１ａの腹部に固定されている。このように腹部ポケット２の端部全体をウエスト部分１ａにしっかり固定することにより、使い捨てカイロの重みで腹部ポケット２の生地がウエスト部分１ａから離れることを防ぐことができる。そして、使い捨てカイロが腹部に安定してあたる為、保温効果のアップにつながる。
【００３０】
また、腹部ポケット及び腰部ポケットは、パンツの生地と同素材で作成されている為、使い捨てカイロの使用による低温火傷を防止することができる。
【００３１】
更にまた、図２（Ｂ）に示すごとく、留め具４は腹部ポケット２の開口部中央付近に一つ付いている。これにより使い捨てカイロを腹部ポケット２に収納し、開口部にある留め具４を留めることで、使い捨てカイロが腹部ポケット２から落下することを防止できる。尚、留め具の数は、ポケットのサイズや使い捨てカイロの大きさに応じて増やしても良い。
【００３２】
尚、腰部ポケット３の端部は、ウエスト部分１ａの腰部に固定されているが、詳細ついては腹部ポケット２と同様の為、省略する。
【００３３】
図３は本考案の一実施の形態である図２（Ｂ）のＸ−Ｘ′線の縦断面図である。
【００３４】
図３に示すごとく、腹部ポケット２の開口部には使い捨てカイロの落下防止を図る為の留め具が設けられている。尚、留め具にはスナップボタンを図示しているが、落下を防止できればファスナーやボタンであっても良い。
【００３５】
また、腹部ポケット２の端部はパンツ１のウエスト部分１aに挟まれた状態で、糸などにより固定されている。本考案のパンツ１は、伸縮可能なウエストである為、ウエスト部分１aには、伸縮可能な素材が通されている。尚、腰部ポケット３についても同様である。
【００３６】
更にまた、腹部ポケットあるいは腰部ポケットは、財布、ハンカチあるいはティッシュを収納することができる。これによりパンツに既存のポケットが存在しない場合には、腹部ポケットあるいは腰部ポケットを利用してこれらを収納することができる。尚、既存のポケットが存在する場合でも、腹部ポケットあるいは腰部ポケットを利用することで、より多くの物がパンツに収納できる。
【００３７】
（実施例２）
次に、本考案における実施の形態２について、図４を参照して説明する。
【００３８】
図４は本考案の一実施の形態であるパンツとパンツに合わせたショールとを表した図である。
【００３９】
図４に示すごとく、パンツ１は腹部ポケット２と腰部ポケット３と留め具４とファスナー１ｂとハンカチかけ１ｃを有し、更に肩や首周辺を温めることができるショール５を有する。
【００４０】
ファスナー１ｂは、パンツ１の裾部分の左右外側にそれぞれ設けられている。ファスナーを開けることによりパンツの裾の部分が広がり、足が通しやすくなる為、着脱が容易になる。また、着脱に要する時間も短縮できる。尚、ファスナーを図示しているが、裾の開閉ができれば、ボタンやスナップボタンなどであっても良い。
【００４１】
ハンカチかけ１ｃは、ここにハンカチをかけて使い易くする為のものであり、パンツ１のウエスト部分１ａの左端に設けられている。尚、ハンカチかけを左端に図示しているが、右端でもよく、使い易い位置であればウエスト部分１ａより下方に位置しても良い。
【００４２】
腹部ポケット２と腰部ポケット３はパンツ１と同様の生地で設けられている。尚、ズボン１、腹部ポケット２、腰部ポケット３、留め具４については上述している為、詳細は省略する。
【００４３】
また、腹部ポケット２と腰部ポケット３を目立ちにくくしたい場合には、パンツ１と同じ生地で設ければ良く、一方、パンツのアクセントとして目立たせたい場合には、腹部ポケット２と腰部ポケット３をパンツ１と異なる生地で設ければ良い。
【００４４】
ショール５は、婦人用の肩かけであり、腹部や腰部以外も防寒することができる。ショール５の両端は、半円状にカットされ、表生地と裏生地が異なる布で作成されている。尚、両端が半円状にカットされた状態を図示しているが、直線であっても波線であっても良い。また、表生地と裏生地を同じ生地にしても良い。
【００４５】
このようにショールをセットにしたり、ショールやポケットの生地をパンツと同じ柄にしたり、ファスナーの色を変化させたりすることで、防寒を目的としながらもお洒落も楽しむことができる。
【図面の簡単な説明】
【００４６】
【図１】本考案の一実施の形態であるポケット付きパンツを上方からみた図である。
【図２】本考案の一実施の形態であるポケット付きパンツを裏側にして（Ａ）腹部あたりを拡大して正面からみた図、（Ｂ）ポケットを上方からみた図である。
【図３】本考案の一実施の形態である図２（Ｂ）のＸ−Ｘ′線の縦断面図である。
【図４】本考案の一実施の形態であるパンツとパンツに合わせたショールとを表した図である。
【符号の説明】
【００４７】
１      パンツ
１ａ    ウエスト部分
１ｂ    ファスナー
１ｃ    ハンカチかけ
２      腹部ポケット
３      腰部ポケット
４      留め具
５      ショール
６      使い捨てカイロ
【図１】
0003114396.tif 000003
【図２】
0003114396.tif 000004
【図３】
0003114396.tif 000005
【図４】
0003114396.tif 000006